(57)【特許請求の範囲】
【請求項１】
屋外側の外装材と屋内側の内装下地を構成する石膏ボードとの間に断熱材を配設するとともに外装材と断熱材との間に屋外空間に連通した通気空間を形成した通気外壁において、上記断熱材と上記石膏ボードとの間に上記断熱材とは別の断熱ボードが配設され、この別の断熱ボードが、上記断熱材よりも断熱性が劣るが上記石膏ボードよりも断熱性が優れ且つ上記断熱材及び上記石膏ボードよりも吸湿性に優れた吸湿断熱ボードで構成されていることを特徴とする通気外壁。
【発明の詳細な説明】
【技術分野】
【０００１】
本発明は、冬場における外壁内における結露の発生の防止だけでなく、夏場における外壁内における結露の発生を防止することが可能な通気外壁に関するものである。
【背景技術】
【０００２】
内部に繊維よりなる断熱材を内装した木質系のパネル枠体の屋内側に内装用下地となる石膏ボードのような面板を取着し、パネル枠体の屋外側に透湿性防水シートを取着して断熱材の屋外側を覆い、更に、パネル枠体の屋外側に胴縁を取着し、この胴縁の屋外側に外装材を取付けて下地板と透湿性防水シートとの間に上下端が開口した通気空間を形成した外壁が特許文献１等により知られている。この通気空間を備えた外壁は通気空間に屋外空気が流入するための入口を下端部に設けると共に通気空間の空気を屋外に排出するための出口を上端部に設けたものであり、外壁内の湿気を通気空間に逃がし、通気空間内を通気することで湿気を屋外に排出するようになっている。このように、外壁に通気空間を設けて、通気空間を介して外壁内の湿気を排出して外壁内の湿度を低下させ（水蒸気量を低下させ）ることで、冬季に室内を暖房した場合、通気空間内の温度と室内の温度との温度差に起因して外壁内に侵入した空気が外壁の外装材の室内側の面の温度が低下してもこの部分に結露が発生し難いようにしている。
【０００３】
上記のように外壁内に通気空間を設けることで冬季に外壁内の湿度を低下させて外壁内において結露が発生し難いようにしているのであるが、夏季に室内を冷房すると、室内が低温となり、通気空間内には高温多湿の外気が流入するため通気空間内は高温多湿の状態となり、通気空間内の高温多湿の空気が外壁内を通して室内側に移行しようとする。湿気流はロックウールやグラスウール等の繊維よりなる断熱材の中を流れる時（つまりからみあった繊維間の隙間を流れる時）は湿度の吸湿が殆ど無い状態であるが、この繊維よりなる断熱材を通過した湿気流が石膏ボードに触れると、石膏ボードは断熱性、吸湿性が小さいため、この冷房により冷やされている石膏ボードの裏面（屋外側の面）で急激に冷やされ、露点に達して石膏ボードの裏面側に結露が発生してしまう。しかしながら従来にあってはこの夏季の冷房時に外壁内で発生する結露に対しては何らの対策も取られていないのが現状である。
【特許文献１】実開平１１−１０７４０４号公報
【発明の開示】
【発明が解決しようとする課題】
【０００４】
本発明は上記の従来の問題点に鑑みて発明したものであって、冬季において外壁内での結露発生を防止すると共に、夏季においても外壁内における結露発生を防止することができる通気外壁を提供することを課題とするものである。
【課題を解決するための手段】
【０００５】
上記課題を解決するために本発明に係る通気外壁は、屋外側の外装材２と屋内側の内装下地を構成する石膏ボード５との間に断熱材１を配設するとともに外装材２と断熱材１との間に屋外空間に連通した通気空間４を形成した通気外壁において、上記断熱材１と上記石膏ボード５との間に上記断熱材１とは別の断熱ボードが配設され、この別の断熱ボードが、上記断熱材１よりも断熱性が劣るが上記石膏ボード５よりも断熱性が優れ且つ上記断熱材１及び上記石膏ボード５よりも吸湿性に優れた吸湿断熱ボード６で構成されていることを特徴とするものである。
【０００６】
このような構成とすることで、外壁７の下端の入口８から屋外の空気が通気空間４内に流入すると共に外壁７の上端の出口９から通気空間４内の空気が屋外に排気することにより、石膏ボード５、吸湿断熱ボード６、繊維よりなる断熱材１を通して室内空間１０から外壁７内に侵入する湿気を通気空間４から外部に逃がして外壁７内の湿度を低下させ（水蒸気量を低下させ）、冬季の暖房時に外装材２の裏側や内側板材１７における結露の発生を防止することができる。また、夏季の冷房時には、夏季の高温多湿の屋外空気が通気空間４内に流入し、高温多湿の湿気流が低温の室内空間１０側に流れるのであるが、この場合、湿気流はロックウールやグラスウール等の繊維よりなる断熱材１の中を流れる時（つまりからみあった繊維間の隙間を流れる時）は湿度の吸湿が殆ど無い状態であるが、この繊維よりなる断熱材１を通過した湿気流が、断熱材１よりも断熱性が劣るが石膏ボード５よりも断熱性が優れた別の断熱ボードである吸湿断熱ボード６を通過することでこの別の断熱ボードである吸湿断熱ボード６の断熱効果で徐々に温度低下して石膏ボード５の裏面に至って、石膏ボード５の裏面で湿気流が急激に冷やされないと共に、別の断熱ボードである吸湿断熱ボード６が断熱材１及び石膏ボード５よりも吸湿性に優れているため、吸湿断熱ボード６に吸湿されて石膏ボード５の裏面側に達した時には断熱材１及び別の断熱ボードである吸湿断熱ボード６により低温で且つ低湿度の湿気流となって、石膏ボード５の裏面側で結露が発生しない条件を作り出すことができ、これにより夏季の冷房時に外壁７の内装下地である石膏ボード５の裏面側で結露が発生しないようにできる。
【発明の効果】
【０００７】
本発明は、冬季において外壁内での結露発生を防止することができるだけでなく、断熱材と石膏ボードとの間に断熱材とは別の断熱ボードが配設され、この別の断熱ボードが、断熱材よりも断熱性が劣るが上記石膏ボードよりも断熱性が優れ且つ断熱材及び石膏ボードよりも吸湿性に優れた吸湿断熱ボードで構成されているという簡単な構成で、通気空間に流入した高温多湿の湿気流を、断熱材及び別の断熱ボードである吸湿断熱ボードにより低温で且つ低湿度の湿気流として石膏ボードの裏面に至らせることができ、これにより夏季の冷房時に石膏ボードの屋外側の面での結露発生を防止することができる。
【発明を実施するための最良の形態】
【０００８】
以下、本発明を添付図面に示す実施形態に基いて説明する。
【０００９】
建物の外壁７の内部には通気空間４が形成してある。図１には２階建ての建物において１階の外壁と、２階の外壁とが上下に連続した外壁７の例が示してある。すなわち、１階の外壁、２階の外壁はいずれも外壁パネル１１により構成してあり、基礎１２と床梁１３との間に１階の外壁パネル１１を建て込むと共に床梁１３と屋根梁１４との間に２階の外壁パネル１１を建て込み、更に、床梁１３の屋外側に幕板１５を覆って２階建ての建物の外壁７が構成してある。
【００１０】
ここで、１階、２階の外壁パネル１１は基本構造が同じ構造となっており、図２、図３に示すようなもので、木製のパネル枠体１６内にはロックウール、グラスウールのような繊維よりなる断熱材１が充填してあり、該繊維よりなる断熱材１は繊維と繊維との間の隙間を通気できるようになっている。該パネル枠体１６の室内側の面には吸湿断熱ボード６が取着してある。吸湿断熱ボード６の室内側の面には石膏ボード５が取付けられるが、石膏ボード５は予め工場で取着しても、現場で取着してもどちらでもよい。ここで使用される吸湿断熱ボード６は上記パネル枠体１６内に充填したロックウール、グラスウールのような繊維よりなる断熱材１よりも断熱性が劣るが石膏ボード５よりも断熱性が優れ且つ断熱材１及び石膏ボード５よりも吸湿性に優れたインシュレーションボードのようなボードが用いられる。一例を挙げると、吸湿断熱ボード６として熱伝導率が０．２２〜０．０３６Ｗ／ｍ・ｋ、吸湿率が１０７ｇ／ｍ２・２４ｈｒ以上（好ましくは１７８ｇ／ｍ２・２４ｈｒ以上）のボードが用いられる。
【００１１】
繊維よりなる断熱材１を充填したパネル枠体１６の屋外側の面にはケナフボードのような透湿性を有する内側板材１７が取着してあって繊維系の断熱材１を押さえ付けている。該内側板材１７の屋外側には桟材１８を取着し、この桟材１８の外面側に窯業系の外装材２が取着してある（外装材２は固着具により桟材１８、内側板材１７を介してパネル枠体１６に固着してある）。内側板材１７と外装材２との間が通気空間４ａとなっており、該通気空間４ａは内部が上下に連通し且つ上下において外部に開口するように横向きの桟材１８に通気用の切欠部１９を設けたり、あるいは縦向きの桟材１８間の間隔よりも横向きの桟材１８の間隔を短くして通気用の隙間を形成したり、横向きの桟材１８を不連続に形成して隙間を設けたりしてある。
【００１２】
上記の構造の外壁パネル１１を工場であらかじめ形成して現場に搬送して施工する。１階の外壁パネル１１は基礎１２に取付けた土台金物２１の縦片の上端にパネル枠体１６の下横枠材の下面に設けた嵌め込み溝２２を嵌め込むと共にパネル枠体１６の上横枠材の上面部に設けた取付け金具２３を床梁１３の下端部に取付けることで立設してある。また、２階の外壁パネル１１は床梁１３の上端部に取付けたパネル受け金物２４の縦片の上端部にパネル枠体１６の下横枠材の下面に設けた嵌め込み溝２２を嵌め込むと共にパネル枠体１６の上横枠材の上面部に設けた取付け金具２３を屋根梁１４の下端部に取付けることで立設してある。
【００１３】
工場で外壁パネル１１の室内側の面に石膏ボード５を取着しない場合は、現場においては外壁パネル１１の吸湿断熱ボード６の室内側の面に内装下地となる石膏ボード５を取着する。この内装用下地となる石膏ボード５の室内側の面には透湿性の内装材（図示せず）が取着される。
【００１４】
床梁１３の屋外側にはロックウール、グラスウールのような繊維系の床梁用断熱材１ａが設けてあり、更に、床梁用断熱材１ａの外面側に床梁用内側板材１７ａを配置して該床梁用内側板材１７ａの下端部と上端部とを、下の外壁パネル１１のパネル枠体１６の上面に固着した受け桟２６ａと、上の外壁パネル１１のパネル枠体１６の下面に固着した受け桟２６ｂの外面に当てて固着してある。更に、該床梁用断熱材１ａを介して床梁１３の屋外側に配設した床梁用内側板材１７ａの屋外側には通気空間４ｂを介して幕板１５が配設してあり、幕板１５の下端部と上端部とを、下の外壁パネル１１の上端部の横向きの桟材１８と、上の外壁パネル１１の下端部の横向きの桟材１８とに固着してある。上記通気空間４ｂは１階の外壁パネル１１内の通気空間４ａ、２階の外壁パネル１１内の通気空間４ａと連通しており、この上下に連通する通気空間４ａ、通気空間４ｂ、通気空間４ａにより外壁７内に通気空間４が構成される。
【００１５】
ここで、本実施形態では、外壁７の通気空間４よりも室内側の部位には前述のように透湿性の内側板材１７、繊維間を通気できる繊維系の断熱材１、吸湿性能の高い吸湿断熱ボード６、透湿性の石膏ボード５、透湿性の内装材により通気空間４と室内空間１０との間で湿気流が移動できるように構成してある。
【００１６】
外壁７に設けた通気空間４の下端部には通気空間４の入口８が設けてあり、また、上端部には通気空間４の出口９が設けてある。添付図面に示す実施形態では１階の外壁パネル１１の通気空間４ａの下端開口部分が入口８となっており、２階の外壁パネル１１の通気空間４ａの上端開口部分が出口９となっている。
【００１７】
１階の外壁パネル１１の下の横向きの桟材１８の外面側には基礎見切り材２８の上端部が固着してあり、基礎見切り材２８により１階の外壁パネル１１の下端と基礎１２の上端との間の隙間を覆い隠すようになっている。基礎見切り材２８には屋外空間３と連通する孔を形成してあり、この孔を介して上記通気空間４の入口８に連通している。
【００１８】
外壁７の上端部に設けた通気空間４の出口９は軒天井裏空間に連通し、軒先に設けた通気口が屋外空間３と軒天井裏空間とを連通している。したがって、通気空間４の出口９は上記軒天井裏空間、上記軒先の通気口を介して屋外空間３と連通している。
【００１９】
図中３３は１階の床パネルであり、該１階の床パネル３３の下面側には床用断熱材３４が設けてある。また、図中３５は１階の天井材、３６は２階の床パネル、３７は２階の天井材である。
【００２０】
冬季の暖房時には室内空間１０が屋外空間３よりも高温で湿度が高いため、内装材、石膏ボード５、吸湿断熱ボード６、繊維系の断熱材１、内側板材１７を介して通気空間４内に湿気が移行して外壁７内の湿度を低下させる。通気空間４内に移行した湿気は通気空間４内で空気が上昇して出口９から軒天井裏空間を経て屋外空間３に排出されるため、湿気も屋外に排出され、また、上記のように通気空間４内の湿気を含んだ空気が上昇して屋外空間３に排出されることで、通気空間４の下端部に設けた入口８から通気空間４内に新たな空気が流入する。この新たに流入した空気は上記のようにして室内から通気空間４内に移行する湿気を含んで上昇して出口９から屋外空間３に排出される。
【００２１】
このようにして外壁７内の湿度を低下させることで、冬季に室内で暖房している場合に室内の湿度を低下させて、外壁７の屋外側の面である外装材２の裏面や内側板材１７で結露が発生し難いようにしている。
【００２２】
このようにして通気空間４を設けることで室内の湿度を低下させて内装材の室内側の面において結露が発生しないようにしているのであるが、夏季に室内空間１０を冷房すると、湿気流は、屋外側から外壁７内を介して室内空間１０に流れることになる。すなわち、夏季の高温多湿の屋外空気が通気空間４内に流れ込み、室内空間１０が冷房してあるため、内側板材１７を通して繊維よりなる断熱材１に湿気流が移行するが、この湿気流は繊維よりなる断熱材１の中（繊維間の隙間）を流れるときは湿度が低下せず、通気空間４内の湿度（外気湿度）に近い状態で且つ吸湿も殆どない状態で流れる。ここで、本発明においては、上記断熱材１と石膏ボード５との間に、上記断熱材１よりも断熱性が劣るが石膏ボード５よりも断熱性が優れ且つ断熱材１及び石膏ボード５よりも吸湿性に優れた吸湿断熱ボード６を配設してあるので、上記断熱材１を通過した高温、高湿の湿気流が一気に石膏ボード５の裏面に至ることなく、吸湿断熱ボード６を通過した後に石膏ボード５の裏面に至ることになる。つまり、断熱材１を通過した高温、高湿の湿気流が吸湿断熱ボード６を通過することで、急激に冷やされることなく且つ吸湿断熱ボード６を通過する際に湿気が吸湿断熱ボード６に吸湿され、石膏ボード５の裏面に至った時には低湿度の湿気流となっているため、石膏ボード５の裏面で露点状態とならず、したがって夏季の冷房時に石膏ボード５の裏面側に結露が発生しないことになる。
【００２３】
特に、夏季においては、屋外空間３の高温多湿の屋外空気が通気空間４内に流れ込むだけでなく、夏季の日射時で外壁７が直射日光で加熱されるため外装材２等の外壁７の材料から湿気を放湿し、通気空間４内はより高温高湿の状態となるが、このような場合でも、断熱材１と内装下地である石膏ボード５との間に断熱材１よりも断熱性が劣るが石膏ボード５よりも断熱性が優れ且つ断熱材１及び石膏ボード５よりも吸湿性に優れた吸湿断熱ボード６を配設することで、上記のように石膏ボード５の裏面における結露発生を防止することができる。
【図面の簡単な説明】
【００２４】
【図１】本発明の縦断面図である。
【図２】同上に用いる外壁パネルの横断面図である。
【図３】同上に用いる外壁パネルの分解斜視図である。
【符号の説明】
【００２５】
１  断熱材
２  外装材
３  屋外空間
４  通気空間
５  石膏ボード
６  吸湿断熱ボード
【図１】
0005180432.tif 000002
【図２】
0005180432.tif 000003
【図３】
0005180432.tif 000004